(57)【要約】【課題】基板の下に発光ユニットを増設することが必要なく、キーボード全体の厚さを低減することができ、スリム化を実現することができる。【解決手段】キーボード部１０と、発光部２０と、を含むスリム型発光キーボードにおいて、前記キーボード部１０は、複数の押圧具１１に構成されユーザが押圧可能な押圧面１１１と、前記押圧面１１１の下に設けられこれらの押圧具１１を受けるための基板１２と、を含み、前記発光部２０は、光線を発生させ、また、ユーザが前記押圧具１１を識別可能な光度を有するように、前記押圧面１１１と前記基板１２の間にある発光セクション２１へ前記光線を伝送する。【選択図】図１
0003145869.tif 000002
【実用新案登録請求の範囲】
【請求項１】
キーボード部１０と、発光部２０と、を含むスリム型発光キーボードにおいて、
前記キーボード部１０は、複数の押圧具１１に構成されユーザが押圧可能な押圧面１１１と、前記押圧面１１１の下に設けられこれらの押圧具１１を受けるための基板１２と、を含み、
前記発光部２０は、光線を発生させ、発光セクション２１はユーザが前記押圧具１１を識別可能な光度を有するように、前記押圧面１１１と前記基板１２の間にある発光セクション２１へ前記光線を伝送することを特徴とする
スリム型発光キーボード。
【請求項２】
前記発光部２０からの投射光線の水平方向の投射方向は前記基板１２に平行していることを特徴とする、請求項１に記載のスリム型発光キーボード。
【請求項３】
前記発光部２０の投射光線の到達高度は、前記発光部２０からの投射距離が長いほど、高位置に到達することを特徴とする、請求項１に記載のスリム型発光キーボード。
【請求項４】
前記発光部２０からの投射光線の水平方向の投射方向と押圧面１１１の端側はある開角を形成していることを特徴とする、請求項１に記載のスリム型発光キーボード。
【請求項５】
前記発光セクション２１は、押圧具１１同士の間に形成された光伝送路２１１ａ、２１１ｂを少なくとも一つ有することを特徴とする、請求項１に記載のスリム型発光キーボード。
【請求項６】
前記発光部２０は前記光伝送路２１１ａ、２１１ｂの末端に設けられており、これにより、光線が前記光伝送路２１１ａ、２１１ｂに伝送されることを特徴とする、請求項５に記載のスリム型発光キーボード。
【請求項７】
前記発光部２０は前記光伝送路２１１ａ、２１１ｂの内部に設けられており、これにより、両側の光線が前記光伝送路２１１ａ、２１１ｂの内部に伝送されることを特徴とする、請求項５に記載のスリム型発光キーボード。
【請求項８】
前記光伝送路２１１ａ、２１１ｂは互いに平行していることを特徴とする、請求項５に記載のスリム型発光キーボード。
【考案の詳細な説明】
【技術分野】
【０００１】
本考案は、キーボードに関し、特に、基板の下に発光ユニットを増設することが必要なく、また、キーボード全体の厚さを薄くすることができ、スリム化を実現することができるスリム型発光キーボードに関するものである。
【背景技術】
【０００２】
昨今、キーボードはコンピュータシステムの不可欠な入力装置になり、且つコンピュータシステムの使用環境及び使用時が多様になったので、キーボードの機能がユーザの使用に合うように、キーボードの構造を改良することが必要になる。低い光度又は暗い環境においてユーザがキーボードから正確に入力可能にするために、発光機能を有するキーボードが多々開発された。特許文献１乃至特許文献４の記載には、キーの内部に発光ダイオードが配されており、前記発光ダイオードにより単一のキーに光線が供給され、低い光度又は暗い環境においてユーザが各キーを正確に識別できることが開示されている。しかしながら、キーボードのキーの数量は百個以上あり、各キーに発光ダイオードを設けると、キーボードの部品の点数が膨大になり、生産工数が増加し、製品のスリム化が実現できない。そして大量の発光ダイオードは、大量の電力を消耗し、点灯による発熱が大量に発生する。
【０００３】
もう一種類の発光機能を有するキーボードは、特許文献５乃至特許文献２４がある。これらのキーボードは、底板の上又は下に、電子発光シート（Ｅｌｅｃｔｒｏｌｕｍｉｎｅｓｃｅｎｔ  Ｓｈｅｅｔ）や光ファイバーパネル（Ｏｐｔｉｃａｌ  Ｆｉｂｅｒ  ｐａｎｅｌ）などのバックライトシートが設けられている。これにより、低い光度又は暗い環境においてユーザが各キーを正確に識別することができる。このような発光キーボードは、単一のバックライトシートによってキーボートを均一に発光させることができる。また、キーの内部に発光ダイオードが設けられているキーボードと比較すると、部品点数を低減することができるため、組付工数を低減することができる。また、電子発光シートや光ファイバーパネルなどのバックライトシートの電力消耗が少ないなどのメリットがある。しかしながら、底板の上又は下にバックライトシートを増設することが必要であるので、製品のスリム化が実現できない。
【０００４】
【特許文献１】米国特許第５９３６５５４号明細書
【特許文献２】米国特許第７２７８７５０号明細書
【特許文献３】台湾特許第５６６６１２号明細書
【特許文献４】台湾特許第５８１９６１号明細書
【特許文献５】米国特許第６１７９４３２号明細書
【特許文献６】米国特許第６１９９９９６号明細書
【特許文献７】米国特許第６２１７１８３号明細書
【特許文献８】米国特許第６２８４９８８号明細書
【特許文献９】米国特許第６３２２２２９号明細書
【特許文献１０】米国特許第６５５４４４２号明細書
【特許文献１１】米国特許第６５９０５０８号明細書
【特許文献１２】米国特許第６６４８５３０号明細書
【特許文献１３】米国特許第６８６０６１２号明細書
【特許文献１４】米国特許第７２３５７５２号明細書
【特許文献１５】米国特許第７２３９３０３号明細書
【特許文献１６】米国特許第７３８８１６７号明細書
【特許文献１７】台湾特許第５０９９５５号明細書
【特許文献１８】台湾特許第５１６６７１号明細書
【特許文献１９】台湾特許第５８７８００号明細書
【特許文献２０】台湾特許第５９４５４６号明細書
【特許文献２１】台湾特許第Ｉ２３０９５７号明細書
【特許文献２２】台湾特許第Ｉ２３１６９３号明細書
【特許文献２３】台湾特許第Ｍ２４０６６８号明細書
【特許文献２４】台湾特許第Ｍ３１３２８１号明細書
【考案の開示】
【考案が解決しようとする課題】
【０００５】
本考案の主な目的は、基板の下に発光ユニットを増設することが必要なく、キーボード全体の厚さを薄くすることができ、スリム化を実現することができるスリム型発光キーボードを提供することにある。
【課題を解決するための手段】
【０００６】
本考案の請求項１に記載のスリム型発光キーボードによると、キーボード部と、発光部と、を含むスリム型発光キーボードにおいて、前記キーボード部は、複数の押圧具に構成されユーザが押圧可能な押圧面と、前記押圧面の下に設けられこれらの押圧具を受けるための基板と、を含み、前記発光部は、光線を発生させ、発光セクションはユーザが前記押圧具を識別可能な光度を有するように、前記押圧面と前記基板の間にある発光セクションへ前記光線を伝送することを特徴とするスリム型発光キーボードである。
【０００７】
本考案の請求項２に記載のスリム型発光キーボードによると、前記発光部からの投射光線の水平方向の投射方向は前記基板に平行している。
本考案の請求項３に記載のスリム型発光キーボードによると、前記発光部の投射光線の到達高度は、前記発光部２０からの投射距離が長いほど、高位置に到達する。
【０００８】
本考案の請求項４に記載のスリム型発光キーボードによると、前記発光部からの投射光線の水平方向の投射方向と押圧面の端側はある開角を形成している。
本考案の請求項５に記載のスリム型発光キーボードによると、前記発光セクションは、押圧具同士の間に形成された光伝送路を少なくとも一つ有する。
【０００９】
本考案の請求項６に記載のスリム型発光キーボードによると、前記発光部は前記光伝送路の末端に設けられており、これにより、光線が前記光伝送路に案内される。
本考案の請求項７に記載のスリム型発光キーボードによると、前記発光部は前記光伝送路の内部に設けられており、これにより、両側の光線が前記光伝送路の内部に伝送される。
本考案の請求項８に記載のスリム型発光キーボードによると、前記二つの光伝送路は互いに平行している。
【考案の効果】
【００１０】
本考案のスリム型発光キーボードによれば、次のような効果がある。
（１）各キーに発光ユニットをそれぞれ設けることが必要なく、これにより、発光キーボードの部品点数を減少することができ、消費電力を少くすることもできる。
（２）電子発光シートや光ファイバーパネルなどのバックライトシートを設けることが必要なく、これにより、発光キーボードの厚さを薄くすることができ、製品のスリム化を実現することができる。
【考案を実施するための最良の形態】
【００１１】
以下、本考案の実施の形態を図面に基づいて説明する。
［実施例１］
まず、図１を参照する。図１は本考案の実施例１に係るスリム型発光キーボードの構造を示す断面図である。本考案に係るスリム型発光キーボードは、図１に示すように、キーボード部１０と、発光部２０と、を含む。キーボード部１０は、複数の押圧具１１に構成されユーザが押圧可能な押圧面１１１と、押圧面１１１の下に設けられこれらの押圧具１１を受けるための基板１２と、を含む。本実施例では、押圧具１１と基板１２の間に、更に、押圧具１１と基板１２とに連結されている連動手段１５が設けられており、基板１２の固定部１２１により連動手段１５が基板１２に固定され、且つ連動手段１５には弾性体１５１が設けられている。これにより、押圧具１１が押圧されると、押圧具１１が基板１２に対して上下の往復動可能である。本実施例では、発光部２０は、基板１２の上に設けられており、基板１２に平行する投射光線を発生し、且つ投射光線が押圧面１１１と基板１２の間にある発光セクション２１に入射され、これにより、低い光度又は暗い環境においてユーザが各押圧具１１を正確に識別することができる。なお、発光部２０は、発光ダイオードを採用してもいいし、レーザー発生器を採用してもよい。発光部２０は、発生する光線を発光セクション２１に入射し、又は発光セクション２１の内部に設けられている光線伝送子（図示せず）によって発光セクション２１が発生する光線を均一に入射させることがでる。光線伝送子は、光ファイバーを採用してもいいし、ポリカーボネート（ｐｏｌｙｃａｒｂｏｎａｔｅ）を採用してもよい。
【００１２】
本考案の実施例では、発光部２０が光線の投射方向が基板１２に平行して設置されているが、本考案はこれに限定されない。図２に示すように、発光部２０の光線の投射到達高度は、発光部２０からの投射距離が長いほど、基板１２から高位置に到達する。一般に、押圧具１１に平行して投射されている投射光線は、入射点が遠いほど、押圧具１１に入射する光度が暗くなる為、押圧面１１１の発光が不均一になる。したがって、発光部２０の光線の投射方向を、基板１２に対して斜め上方に角度を付し、光線の投射距離が長いほど、基板１２から高位置に到達するようにすると、押圧面１１１の発光が均一になる。また、発光部２０からの投射光線の水平方向の投射方向と押圧面１１１の端側がある投射角度θを形成すようにする。図３に示すように、投射角度θは０度〜１８０度とすることにより、発光部２０は発光状態によって投射条件を調整することができる。
【００１３】
また、図４を参照する。発光セクション２１は、押圧具１１同士の間に形成された光伝送路２１１ａ、２１１ｂを少なくとも一つ有し、これらの光伝送路２１１ａ、２１１ｂが互いに平行している。発光部２０は、図４に示すように、光伝送路２１１ａ、２１１ｂの末端に設けられてもいいし、図５に示すように、光伝送路２１１ａ、２１１ｂの内部に設けられてもよい。前者の場合には、光線が発光セクション２１の光伝送路２１１ａ、２１１ｂに伝送され、後者の場合には、光線が光伝送路２１１ａ、２１１ｂの内部から伝送される。
【００１４】
本考案に係るスリム型発光キーボードは、図１に示すように、発光部２０からの光線を発光セクション２１に均一に伝送することにより、発光セクション２１の発光を均一にしてもいいし、ユーザのニーズによって特定のキーの光度を差別化にしてもよい。本考案では、図６に示すように、発光セクション２１の内部には、各押圧具１１に応じて反射具１３が設けられている。そうすると、反射具１３により発光セクション２１内の光線の経路が変更されて光線が押圧具１１から射出される。これにより、個別の押圧具１１の光度は周りの発光セクション２１よりも高い。一方、発光セクション２１の内部には、図７に示すように、各押圧具１１に応じて集光具１４が設けられている。集光具１４は、その表面に蛍光剤などを塗布してもいいし、蛍光剤などで作製されてもよい。そうすると、集光具１４は発光セクション２１からの光線を収集して発光することができる。よって、個別の押圧具１１の光度は周りの発光セクション２１よりも高い。このように、発光キーボードのキーの光度を差別化する効果を達成することができる。また、連動手段１５又は弾性体１５１が集光材料などで作製してもよく、これにより、押圧具１１と周りの発光セクション２１の光度の対比を向上することができる。
【００１５】
［実施例２］
図８に示すように、押圧具１１と基板１２とには、キーピン１６とキー座１７とがそれぞれ設けられている。キー座１７の頂端にはキーピン１６を挿入可能な開口１７１が設けられており、キー座１７の内部にはキーピン１６と当接する弾性体１７２が設けられている。これにより、押圧具１１がキー座１７に対して上下の往復動可能である。発光部２０からの光線が発光セクション２１に入射されるので、発光セクション２１が一定の光度を有し、これにより、低い光度又は暗い環境においてユーザが各押圧具１１を正確に識別することができる。また、各キーの光度を差別化にするために、キーピン１６、キー座１７や弾性体１７２は、その表面に蛍光剤などを塗布してもいいし、蛍光剤などで作製してもよい。そうすると、キーピン１６、キー座１７や弾性体１７２は発光セクション２１からの光線を収集して発光することができる。よって、個別の押圧具１１の光度は周りの発光セクション２１よりも高く、ユーザが各押圧具１１を正確に識別することができる。
【００１６】
本考案では、押圧具１１は、図９に示すように、透光材料を採用してもいいし、図１０に示すように、キャラクタの部分が透光材料を採用しキャラクタ以外の部分が不透光材料を採用してもよい。後者の場合には、キャラクタが強調され、ユーザが各押圧具１１を更に正確に識別することができる。
【図面の簡単な説明】
【００１７】
【図１】本考案の実施例１に係るスリム型発光キーボードの構造を示す断面図である。
【図２】本考案の実施例１に係るスリム型発光キーボードの発光部の光線の投射高を示す概略図である。
【図３】本考案の実施例１に係るスリム型発光キーボードの発光部の光線の投射方向と押圧面のエッジの開角を示す概略図である。
【図４】本考案の実施例１に係るスリム型発光キーボードの発光部が光伝送路の末端に設けられていることを示す概略図である。
【図５】本考案の実施例１に係るスリム型発光キーボードの発光部が光伝送路の内部に設けられていることを示す概略図である。
【図６】本考案の実施例１に係るスリム型発光キーボードの押圧部の下に反射具が設けられていることを示す概略図である。
【図７】本考案の実施例１に係るスリム型発光キーボードの押圧部の下に集光具が設けられていることを示す概略図である。
【図８】本考案の実施例２に係るスリム型発光キーボードの構造を示す断面図である。
【図９】本考案に係るスリム型発光キーボードの光線が均一に透過している押圧具の外観図である。
【図１０】本考案に係るスリム型発光キーボードの光線が均一に透過していない押圧具の外観図である。
【符号の説明】
【００１８】
１０    キーボード部
１１    押圧具
１２    基板
１３    反射具
１４    集光具
１５    連動手段
１６    キーピン
１７    キー座
２０    発光部
２１    発光セクション
１１１  押圧面
１１２  透光セクション
１１３  不透光セクション
１５１  弾性体
１７１  開口
１７２  弾性体
２１１ａ、２１１ｂ  光伝送路
【図１】
0003145869.tif 000003
【図２】
0003145869.tif 000004
【図３】
0003145869.tif 000005
【図４】
0003145869.tif 000006
【図５】
0003145869.tif 000007
【図６】
0003145869.tif 000008
【図７】
0003145869.tif 000009
【図８】
0003145869.tif 000010
【図９】
0003145869.tif 000011
【図１０】
0003145869.tif 000012